(57)【要約】【課題】移動時の放送番組の階層受信において、煩雑な階層受信の切替えを軽減し、視聴者にとって安定して見易い映像を提供する。【解決手段】高画質の映像や音声を提供するが、伝送誤りに弱い弱階層の番組信号とこれと同じ内容の品質は劣るが、伝送誤りに強い強階層の番組信号との多重化放送信号が受信され、多重分離部４でこれらの階層が分離された後、弱階層デコード部５，強階層デコード部６で夫々デコードされ、これら弱階層ＰW，強階層ＰSのいずれかが切替部７で選択されて表示装置８に供給される。伝送路復調部３では、受信した多重化放送信号から受信状況を示す信号品質値Ａが抽出され、制御部９に供給される。制御部９では、速度検出部１０からの移動体の走行速度を示す走行速度情報Ｂを基にこの走行速度に応じた閾値を設定し、この閾値と信号品質値Ａとを比較して、この走行速度と受信状況に応じた切替部７の切替制御信号Ｃを生成する。【選択図】図１
2007214675.tif 000002
【特許請求の範囲】
【請求項１】
弱階層のデジタル番組信号と強階層のデジタル番組信号との階層多重化信号からなるデジタル放送信号を受信する移動体に搭載のデジタル放送受信装置であって、
デジタル放送信号を受信し、所望チャンネルのデジタル階層多重化信号を選局する選局手段と、
該選局手段により選局された所望チャンネルの該デジタル階層多重化信号を復調処理及び誤り訂正処理し、かつ該デジタル階層多重化信号の信号品質に関する信号品質情報を検出する伝送路復調手段と、
該伝送路復調手段で処理された該所望チャンネルのデジタル階層多重化信号を弱階層のデジタル番組信号と強階層のデジタル番組信号とに分離する多重分離手段と、
該多重分離手段で分離された弱階層のデジタル番組信号を弱階層のアナログ番組信号に復号する弱階層デコード手段と、
該多重分離手段で分離された強階層のデジタル番組信号を強階層のアナログ番組信号に復号する強階層デコード手段と、
該弱階層のアナログ番組信号と該強階層のアナログ番組信号とのいずれかを選択し、表示手段に供給する切替手段と、
該移動体の走行速度を検出し、走行速度情報を出力する速度検出手段と、
該切替手段の切替え動作を制御する制御手段と
を備え、
該制御手段は、該伝送路復調手段で検出された該信号品質情報と該速度検出手段からの該走行速度情報とに応じて、該切替手段を切替え制御することを特徴とするデジタル放送受信装置。
【請求項２】
請求項１に記載のデジタル放送受信装置において、
前記制御手段は、
前記走行速度情報を基に前記移動体の走行状態を検出し、該走行状態に応じた値の閾値を設定するための閾値設定手段と、
該閾値と受信中の前記デジタル階層多重化信号の信号品質情報とを比較し、前記切替手段で選択すべき前記階層のアナログ番組信号を判定し、前記切替手段を制御するための切替制御信号を出力する比較手段と
を備えたことを特徴とするデジタル放送受信装置。
【請求項３】
請求項１に記載のデジタル放送受信装置において、
前記制御手段は、
前記走行速度情報を基に前記移動体の走行状態を検出し、該走行状態に応じて異なる数値範囲を設定して、該数値範囲の上限値もしくは下限値を閾値とする閾値設定手段と、
該閾値と受信中の前記デジタル階層多重化信号の信号品質情報とを比較して、前記切替手段で選択すべき前記階層のアナログ番組信号を判定し、前記切替手段を制御するための切替制御信号を出力する比較手段と
を備え、
該閾値設定手段は、該比較手段の判定結果に基づいて、該閾値を該上限値もしくは該下限値とすることを特徴とするデジタル放送受信装置。
【請求項４】
請求項２または３に記載のデジタル放送受信装置において、
前記制御手段は、
前記走行速度情報を基に前記移動体の走行状態を検出し、該走行状態に応じて異なる平均化時間を設定する平均化時間設定手段と、
該平均化時間毎に前記信号品質値を平均化する信号品質値制御手段と
を備え、
該信号品質値制御手段で平均化された前記信号品質値が前記比較手段に供給されることを特徴とするデジタル放送受信装置。
【請求項５】
弱階層のデジタル番組信号と強階層のデジタル番組信号との階層多重化信号からなるデジタル放送信号を受信する移動体に搭載のデジタル放送受信装置であって、
デジタル放送信号を受信し、所望チャンネルのデジタル階層多重化信号を選局する選局手段と、
該選局手段により選局された所望チャンネルの該デジタル階層多重化信号を復調処理及び誤り訂正処理し、かつ該デジタル階層多重化信号の信号品質に関する信号品質情報を検出する伝送路復調手段と、
該伝送路復調手段で処理された該所望チャンネルのデジタル階層多重化信号を弱階層のデジタル番組信号と強階層のデジタル番組信号とに分離する多重分離手段と、
該多重分離手段で分離された弱階層のデジタル番組信号を弱階層のアナログ映像信号とアナログ音声信号とに復号する弱階層デコード手段と、
該多重分離手段で分離された強階層のデジタル番組信号を強階層のアナログ映像信号とアナログ音声信号とに復号する強階層デコード手段と、
該弱階層のアナログ映像信号と該強階層のアナログ映像信号とのいずれかを選択し、映像表示手段に供給する第１の切替手段と、
該弱階層のアナログ音声信号と該強階層のアナログ音声信号とのいずれかを選択し、音声出力手段に供給する第２の切替手段と、
該移動体の走行速度を検出し、走行速度情報を出力する速度検出手段と、
該第１，第２の切替手段の切替え動作を制御する制御手段と
を備え、
該制御手段は、該伝送路復調手段で検出された該信号品質情報と該速度検出手段からの該走行速度情報とに応じて、該第１，第２の切替手段を切替え制御することを特徴とするデジタル放送受信装置。
【請求項６】
請求項５に記載のデジタル放送受信装置において、
前記制御手段は、
前記走行速度情報を基に前記移動体の走行状態を検出し、該走行状態に応じた値であって、かつ前記アナログ映像信号に対する第１の閾値と前記アナログ音声信号に対する第２の閾値とを設定するための閾値設定手段と、
該第１の閾値と受信中の前記デジタル階層多重化信号の信号品質情報とを比較し、前記第１の切替手段で選択すべき前記階層のアナログ映像信号を判定して前記第１の切替手段を制御するための第１の切替制御信号を出力する第１の比較手段と、
該第２の閾値と受信中の前記デジタル階層多重化信号の信号品質情報とを比較し、前記第２の切替手段で選択すべき前記階層のアナログ音声信号を判定して前記第２の切替手段を制御するための第２の切替制御信号を出力する第２の比較手段と
を備えたことを特徴とするデジタル放送受信装置。
【発明の詳細な説明】
【技術分野】
【０００１】
本発明は、デジタル放送信号、特に階層伝送により、同一内容の番組が高品質な映像信号及び音声信号を含む階層と低品質な映像信号及び音声信号を含む階層とで同時伝送されているデジタル放送信号を受信するデジタル放送受信装置に関する。
【背景技術】
【０００２】
放送衛星を利用した衛星デジタル放送では、同じ放送番組が高品質な映像信号及び音声信号を含む階層の信号と低品質な映像信号及び音声信号を含む階層の信号とが多重化されて伝送される階層伝送が行なわれている。ここで、高品質な映像信号及び音声信号を含む階層の放送信号は、高い伝送レートで伝送されるものであって、このため、伝送誤りに比較的弱いものである。これに対し、低品質な映像信号及び音声信号を含む階層の放送信号は、低い伝送レートで伝送されるものであって、このため、伝送誤りに比較的強いものである。衛星デジタル放送では、前者が高階層の放送信号と呼ばれ、後者が低階層の放送信号と呼ばれている。
【０００３】
このような階層伝送に対応した受信機では、受信状況に応じて、即ち、受信状況が良好なときには、高階層の放送信号を受信し、降雨時など受信状況が低下したときには、低階層の放送信号を受信するものである。このような高階層の放送信号と低階層の放送信号との受信階層の切り替え方法としては、受信電界強度の変動に応じて、安定した映像の切替え表示を行なうことのできるデジタル放送受信機が提案されている（例えば、特許文献１参照）。
【０００４】
一方、２００３年１２月より放送が開始された地上デジタル放送では、衛星デジタル放送と同様に、地上デジタル放送運用規定（ＡＲＩＢ  ＴＲ−Ｂ１４）で規定された階層伝送による放送が可能である。地上デジタル放送では、同じチャンネルの番組について、高い伝送品質を要するものであるが、伝送誤りに比較的弱い弱階層と呼ばれる階層のデジタル番組信号（以下、弱階層のデジタル番組信号という）と、低い伝送品質ではあるが、伝送誤りに比較的強い強階層と呼ばれる階層のデジタル番組信号（以下、強階層のデジタル番組信号という）とが多重化されて伝送される（以下、かかる放送信号をデジタル階層多重化信号という）。弱階層のデジタル番組信号では、高い伝送レートを確保できるため、番組の高品質な映像信号及び音声信号を伝送することができ、強階層のデジタル番組信号では、伝送レートが低いため、伝送される番組の映像信号及び音声信号は低品質となる。
【０００５】
ところで、地上デジタル放送を車載端末などの移動体で受信する場合、この移動体が通過する周囲の環境変化により、放送電波の受信状況は時々刻々と変動する。このような受信状況に応じて弱階層の番組信号と強階層の番組信号との受信階層の切り替えが行なわれるものであるが、かかる受信階層の切替え方法として、例えば、受信されるデジタル階層多重化信号のＳ／Ｎ比を参照し、受信品質が良好なときには、弱階層のデジタル番組信号を受信処理し、受信品質が良好でないときには、強階層のデジタル番組信号を受信処理するようにし、しかも、同じチャンネルの強階層の番組信号と弱階層の番組信号との間での受信切替えを判定するためのＳ／Ｎ比の閾値にヒステリシスを設け、さらに、強階層の番組信号から弱階層の番組信号に切り替える際に、Ｓ／Ｎ比が閾値より小さい場合であっても、Ｓ／Ｎ比の移動平均値が上昇していれば、弱階層の番組信号へ切り替える受信装置が提案されている（例えば、特許文献２参照）。
【特許文献１】特開２００１−７８１８０号公報
【特許文献２】特開２００５−２２３５４９号公報
【発明の開示】
【発明が解決しようとする課題】
【０００６】
一般に、移動体では、その走行状態によって電波の受信状況が異なる。例えば、低速走行時では、受信電波の変動が緩やかであるのに対し、高速走行時では、受信電波の変動が激しい。また、停止時では、受信電波の変動が少なく、ほぼ一定の受信状況を保つ。
【０００７】
このように、走行状態によって受信状況が大きく異なる移動体受信においては、従来の受信階層切替え方法によると、走行状態によらず、常に一定の判定基準に基づいて受信階層の切替えが行なわれている。このため、高速走行時のように、受信電波の変動が激しいと仮定して判定基準を設定すると、高速走行時では、適切な受信階層の切替えを行なうことができるが、停止時では、不適切な判定基準が与えられることになり、受信階層の円滑な切替えを行なうことができない。逆に、受信電波の変動が小さいと仮定して判定基準を設定すると、停止時では、適切な受信階層の切替えを行なうことができるが、高速走行時では、不適切な判定基準が与えられてしまうことになる。上記文献では、Ｓ／Ｎ比の移動平均値が上昇しているか否かの判定は、過去のＳ／Ｎ比の所定サンプル分を取り出し、その平均を演算した値であり、受信状況の変動は一切考慮されていない。
【０００８】
本発明は、かかる点に鑑みてなされたものであって、その目的は、階層伝送により同一内容の番組が高品質な映像信号及び音声信号を含む階層と低品質な映像信号及び音声信号を含む階層で同時伝送されている場合において、移動受信時の走行速度に応じた階層切替えを行なうことにより、煩雑な階層切替えを低減し、視聴者にとって安定して見やすい映像信号及び音声信号を出力するデジタル放送受信装置を提供することにある。
【課題を解決するための手段】
【０００９】
上記目的を達成するために、本発明は、弱階層のデジタル番組信号と強階層のデジタル番組信号との階層多重化信号からなるデジタル放送信号を受信する移動体に搭載のデジタル放送受信装置であって、デジタル放送信号を受信し、所望チャンネルのデジタル階層多重化信号を選局する選局手段と、該選局手段により選局された所望チャンネルの該デジタル階層多重化信号を復調処理及び誤り訂正処理し、かつ該デジタル階層多重化信号の信号品質に関する信号品質情報を検出する伝送路復調手段と、該伝送路復調手段で処理された該所望チャンネルのデジタル階層多重化信号を弱階層のデジタル番組信号と強階層のデジタル番組信号とに分離する多重分離手段と、該多重分離手段で分離された弱階層のデジタル番組信号を弱階層のアナログ番組信号に復号する弱階層デコード手段と、該多重分離手段で分離された強階層のデジタル番組信号を強階層のアナログ番組信号に復号する強階層デコード手段と、該弱階層のアナログ番組信号と該強階層のアナログ番組信号とのいずれかを選択し、表示手段に供給する切替手段と、該移動体の走行速度を検出し、走行速度情報を出力する速度検出手段と、該切替手段の切替え動作を制御する制御手段とを備え、該制御手段は、該伝送路復調手段で検出された該信号品質情報と該速度検出手段からの該走行速度情報とに応じて、該切替手段を切替え制御することを特徴とするものである。
【００１０】
また、本発明は、前記制御手段が、前記走行速度情報を基に前記移動体の走行状態を検出し、該走行状態に応じた値の閾値を設定するための閾値設定手段と、該閾値と受信中の前記デジタル階層多重化信号の信号品質情報とを比較し、前記切替手段で選択すべき前記階層のアナログ番組信号を判定し、前記切替手段を制御するための切替制御信号を出力する比較手段とを備えたことを特徴とするものである。
【００１１】
また、本発明は、前記制御手段が、前記走行速度情報を基に前記移動体の走行状態を検出し、該走行状態に応じて異なる数値範囲を設定して、該数値範囲の上限値もしくは下限値を閾値とする閾値設定手段と、該閾値と受信中の前記デジタル階層多重化信号の信号品質情報とを比較して、前記切替手段で選択すべき前記階層のアナログ番組信号を判定し、前記切替手段を制御するための切替制御信号を出力する比較手段とを備え、該閾値設定手段が、該比較手段の判定結果に基づいて、該閾値を該上限値もしくは該下限値とすることを特徴とするものである。
【００１２】
また、本発明は、前記制御手段が、前記走行速度情報を基に前記移動体の走行状態を検出し、該走行状態に応じて異なる平均化時間を設定する平均化時間設定手段と、該平均化時間毎に前記信号品質値を平均化する信号品質値制御手段とを備え、該信号品質値制御手段で平均化された前記信号品質値が前記比較手段に供給されることを特徴とするものである。
【００１３】
また、本発明は、弱階層のデジタル番組信号と強階層のデジタル番組信号との階層多重化信号からなるデジタル放送信号を受信する移動体に搭載のデジタル放送受信装置であって、デジタル放送信号を受信し、所望チャンネルのデジタル階層多重化信号を選局する選局手段と、該選局手段により選局された所望チャンネルの該デジタル階層多重化信号を復調処理及び誤り訂正処理し、かつ該デジタル階層多重化信号の信号品質に関する信号品質情報を検出する伝送路復調手段と、該伝送路復調手段で処理された該所望チャンネルのデジタル階層多重化信号を弱階層のデジタル番組信号と強階層のデジタル番組信号とに分離する多重分離手段と、該多重分離手段で分離された弱階層のデジタル番組信号を弱階層のアナログ映像信号とアナログ音声信号とに復号する弱階層デコード手段と、該多重分離手段で分離された強階層のデジタル番組信号を強階層のアナログ映像信号とアナログ音声信号とに復号する強階層デコード手段と、該弱階層のアナログ映像信号と該強階層のアナログ映像信号とのいずれかを選択し、映像表示手段に供給する第１の切替手段と、該弱階層のアナログ音声信号と該強階層のアナログ音声信号とのいずれかを選択し、音声出力手段に供給する第２の切替手段と、該移動体の走行速度を検出し、走行速度情報を出力する速度検出手段と、該第１，第２の切替手段の切替え動作を制御する制御手段とを備え、該制御手段は、該伝送路復調手段で検出された該信号品質情報と該速度検出手段からの該走行速度情報とに応じて、該第１，第２の切替手段を切替え制御することを特徴とするものである。
【００１４】
また、本発明は、前記制御手段が、前記走行速度情報を基に前記移動体の走行状態を検出し、該走行状態に応じた値であって、かつ前記アナログ映像信号に対する第１の閾値と前記アナログ音声信号に対する第２の閾値とを設定するための閾値設定手段と、該第１の閾値と受信中の前記デジタル階層多重化信号の信号品質情報とを比較し、前記第１の切替手段で選択すべき前記階層のアナログ映像信号を判定して前記第１の切替手段を制御するための第１の切替制御信号を出力する第１の比較手段と、該第２の閾値と受信中の前記デジタル階層多重化信号の信号品質情報とを比較し、前記第２の切替手段で選択すべき前記階層のアナログ音声信号を判定して前記第２の切替手段を制御するための第２の切替制御信号を出力する第２の比較手段とを備えたことを特徴とするものである。
【発明の効果】
【００１５】
本発明によれば、階層伝送により同一内容の番組が、高品質な映像信号及び音声信号を含む階層と、低品質な映像信号及び音声信号を含む階層とで同時伝送されている場合において、移動受信時の走行速度に応じた階層切替えを行なうことにより、煩雑な階層切替えを低減し、視聴者にとって安定して見やすい映像や音声を提供することができる。
【発明を実施するための最良の形態】
【００１６】
以下、図面を用いて本発明の実施形態を説明する。
【００１７】
図１は本発明によるデジタル放送受信装置の第１の実施形態を示すブロック図であって、１はアンテナ、２は選局部、３は伝送路復調部、４は多重分離部、５は弱階層デコード部、６は強階層デコード部、７は切替部、８は表示装置、９は制御部、１０は速度検出部である。
【００１８】
同図において、この実施形態は乗用車などの移動体に搭載されている。アンテナ１により、各チャンネルの番組がデジタル階層多重化信号をなすデジタル放送番組信号の放送電波が受信される。受信されたデジタル放送番組信号は選局部２に供給され、希望チャンネルのデジタル階層多重化信号が選局される。この選局された希望チャンネルのデジタル階層多重化信号は伝送路復調部３に供給される。伝送路復調部３は、デジタル階層多重化信号を復調及び誤り訂正処理し、トランスポートストリーム信号として多重分離部４に供給するとともに、このデジタル階層多重化信号の信号品質に関する値（以下、信号品質値という）Ａを検出し、制御部９に供給する。
【００１９】
この信号品質値Ａは、受信したデジタル階層多重化信号との同期状態や搬送波電力対雑音電力比（ＣＮＲ（Carrier to Noise Ratio）），誤り訂正処理でのビット誤り率，AGC制御電圧，変調誤差比（ＭＥＲ（Modulation Error Ratio））などから算出される値を想定している。ここでは、信号品質値Ａが大きい場合には、受信状況が良いものであり、信号品質値Ａが小さい場合には、受信状況が悪いものとする。
【００２０】
多重分離部４は、伝送路復調部３から供給されるトランスポートストリーム信号を弱階層のデジタル番組信号と強階層のデジタル番組信号とに分離する。分離された弱階層のデジタル番組信号は、弱階層デコード部５に供給されてアナログの番組信号である弱階層の番組信号ＰWにデコードされ、分離された強階層のデジタル番組信号は強階層デコード部６に供給されてアナログの番組信号である強階層の番組信号ＰSにデコードされる。これら弱階層の番組信号ＰWと強階層の番組信号ＰSとは切替部７に供給され、これらのいずれか一方の番組信号が選択されて表示装置８に供給される。表示装置８では、供給される弱階層の番組信号ＰWまたは強階層の番組信号ＰSによる番組表示が行なわれる。また切替部７における映像信号の選択は、制御部９により制御される。
【００２１】
切替部７による番組信号の選択は、制御部９からの切替制御信号Ｃによって制御される。制御部９は、速度検出部１０で検出されるこの実施形態が搭載された移動体の走行速度の情報（走行速度情報）Ｂが供給され、この走行速度情報Ｂと伝送路復調部３から供給される信号品質値Ａとから選択すべき受信階層（上記の弱階層の番組信号ＰWまたは強階層の番組信号ＰS）を判定し、この判定結果に応じた切替制御信号Ｃで切替部７を制御する。
【００２２】
ここで、上記の弱階層及び強階層は地上デジタル放送運用規定(ARIB TR-B14)に規定されており、高い伝送品質を保持できるが、伝送誤りに比較的弱い階層を弱階層といい、低い伝送品質ではあるが、伝送誤りに比較的強い階層を強階層という。弱階層では、高い伝送レートを確保できるため、高品質な映像信号及び音声信号の番組信号が伝送され、強階層では、低い伝送レートにより、低品質な映像信号及び音声信号の番組信号が伝送される。この第１の実施形態では、上記のように、同一チャンネルの番組（同一内容の番組）が、弱階層の番組信号と強階層の番組信号として、多重化されて放送されているものとしている。
【００２３】
図２は図１における制御部９の一具体例の要部を示すブロック図であって、９ａは閾値設定部、９ｂは比較部である。
【００２４】
同図において、速度検出部１０（図１）からの走行速度情報Ｂは閾値設定部９ａに供給され、この走行速度情報Ｂによって検出される移動体の走行状態に応じた信号品質値Ａの閾値Ｄが出力される。この閾値Ｄは比較部９ｂに供給されて設定され、伝送路復調部３から供給される信号品質値Ａとを比較され、その比較結果に応じた切替制御信号Ｃが生成される。
【００２５】
図３は図２における制御部９の切替制御信号の生成処理を示すタイミング図であって、図２に対応する信号には同一符号をつけている。図３（ａ），（ｂ），（ｃ）の時間軸は一致しているものとする。
【００２６】
なお、ここでは、信号品質値Ａが閾値Ｄよりも大きいときには、弱階層の番組信号ＰWを選択し、信号品質値Ａが閾値Ｄよりも小さいときには、強階層の番組信号ＰSを選択するように、切替部７（図１）を制御する切替制御信号Ｃが生成されるものとする。切替部７で弱階層の番組信号ＰWが選択された状態を、以下、弱階層番組受信状態といい、切替部７で強階層の番組信号ＰSが選択された状態を、以下、強階層番組受信状態という。
【００２７】
図３（ａ）は移動体が停止状態から徐々に加速し、一定速度に達するまでの走行速度Ｖの変化を示すものであって、速度検出部１０では、この走行速度の変化に応じた値が変化する走行速度情報Ｂが得られる。ここで、この移動体の状態は、走行速度に応じて、走行速度Ｖ＝０の停止状態とＶ＝Ｖ1までのＶ＞０の低速走行状態と走行速度Ｖ＞Ｖ1の高速走行状態とに分けられ、停止状態にある時刻ｔ1までの時間区間を停止区間Ｔ1、低速走行状態にある時刻ｔ1から時刻ｔ2までの時間区間を低速走行区間Ｔ2、高速走行状態にある時刻ｔ2以降の時間区間を高速走行区間Ｔ3としている。
【００２８】
図３（ｂ）は、伝送路復調部３（図１）で得られる信号品質値Ａと、閾値設定部９ａ（図２）で得られる図３（ａ）に示す移動体の走行状態に応じた信号品質値Ａの閾値Ｄとを示すものである。この閾値Ｄは移動体の走行状態に応じて（より具体的には、上記の走行区間Ｔ1，Ｔ2，Ｔ3毎に）変化する。
【００２９】
また、図３（ｃ）は図３（ｂ）での比較結果による切替制御信号Ｃを示すものである。
【００３０】
以下、図３（ａ）〜（ｃ）を用いてこの第１の実施形態の動作を説明する。
【００３１】
移動体が停止状態にある停止区間Ｔ1では、受信電波強度の増減の変動が少なく、安定した受信状況が得られるものであるから、信号品質値Ａの閾値Ｄが最も小さい値Ｄ1に設定され、受信電波強度がある程度低くとも、弱階層の番組信号ＰWが受信できて（弱階層番組受信状態として）高画質の映像が表示されるようにする。移動体が低速走行状態にある低速走行区間Ｔ2では、移動体が停止状態にあるときよりも、受信電波強度の増減の変動がより顕著に現われる可能性があって、弱階層の番組信号ＰWの品質低下が顕著に生ずる可能性があるものであるから、移動体が停止状態にあるときよりも、さらに、受信電波強度が高いときに弱階層の番組信号ＰWが受信できるようにするために、信号品質値Ａの閾値Ｄを停止区間Ｔ1のときの値Ｄ1よりも高い値Ｄ2とする。移動体が高速走行状態にある高速走行区間Ｔ3では、受信電波強度の増減の変動が最も顕著に現われる可能性があって、弱階層の番組信号ＰWの品質低下が最も顕著に生ずる可能性があるものであるから、移動体が低速走行状態にあるときよりもさらに受信電波強度が高いときに弱階層の番組信号ＰWが受信できるようにするために、信号品質値Ａの閾値Ｄを低速走行区間Ｔ2にあるときの値Ｄ2よりもさらに高い値Ｄ3とする。
【００３２】
いま、移動体が停止状態にある停止区間Ｔ1で受信電波強度にほとんど増減の変動がなく、安定してかつ高く、図３（ｂ）に示すように、信号品質値Ａが安定してそのときの閾値Ｄ1よりも高いものとすると、比較部９ｂ（図２）から得られる切替制御信号Ｃは、図３（ｃ）に示すように、弱階層の番組信号ＰWを選択するための“Ｈ”レベルの信号となる。移動体が移動を開始して低速走行区間Ｔ2となると（時刻ｔ1）、受信電波強度の増減の変動が多くなるが、これでも、走行速度がＶXとなる時刻ｔXまでは、引き続き受信電界強度が比較的安定して高く、信号品質値Ａがそのときの閾値Ｄ2以上であるものとすると、この場合も、比較部９ｂから得られる切替制御信号Ｃは、図３（ｃ）に示すように、弱階層の番組信号ＰWを選択するための“Ｈ”レベルの信号となる。移動体の走行速度Ｖが走行速度ＶXを越えてさらに高くなると（時刻ｔx）、受信電波強度の増減の変動がさらに頻繁となるが、これとともに、受信電波強度が低下して信号品質値Ａがそのときの閾値Ｄ2よりも小さくなると、比較部９ｂから得られる切替制御信号Ｃは、図３（ｃ）に示すように、強階層の番組信号ＰSを選択するための“Ｌ”レベルの信号となる。そして、移動体が高速走行状態の高速走行区間Ｔ3になると（時刻ｔ2）、同じ周囲環境が維持されている場合、受信電波強度の増減の変動がさらに頻繁となるが、ここで、受信電波強度がいくらか安定化し、かつ受信電波強度が高くなって、信号品質値Ａがそのときの閾値Ｄ3を越えるような受信状態となったとすると（時刻ｔ3）、比較部９ｂから得られる切替制御信号Ｃは、図３（ｃ）に示すように、弱階層の番組信号ＰWを選択するための“Ｈ”レベルの信号となる。
【００３３】
このように、この第１の実施形態では、受信電波強度の変動が小さい移動体の停止状態の場合には、信号品質値Ａの閾値Ｄは番組の弱階層受信に必要な最小の値に設定されることになり、これより、弱階層番組受信状態をできる限り長く安定して継続させることが可能となる。また、受信電波強度の変動が大きい移動体の走行中では、信号品質値Ａの閾値Ｄが停止状態にあるときに比べて大きい値に設定されることになり、これより、番組の弱階層受信中に受信状況が低下した場合には、弱階層の番組信号ＰWによる映像が乱れる受信状況まで信号品質値Ａが低下する前に、強階層番組受信状態に切り替えることが可能となる。また、受信電波強度が上昇していく場合には、番組の弱階層受信が充分に可能な状態に信号品質値Ａが回復するまで、番組の強階層受信を継続させることが可能である。
【００３４】
なお、ここでは、移動体の走行状態（停止状態も含む）を停止状態（停止区間Ｔ1），低速走行状態（低速走行区間Ｔ2）及び高速走行状態（高速走行区間Ｔ3）の３状態を設定し、夫々毎に信号品質値Ａの閾値Ｄを設ける場合について説明したが、これのみに限るものではなく、設定する走行状態を２つの状態としてもよいし、また、４以上の状態としてもよい。
【００３５】
また、上記の閾値Ｄ1，Ｄ2，Ｄ3は夫々、閾値設定部９ａに走行区間Ｔ1，Ｔ2，Ｔ3に対応して、例えば、テーブルなどにより、格納されており、走行速度情報Ｂによって走行区間が検出されると、これに対応する閾値が読み出されて比較部９ｂに供給される。
【００３６】
図４は本発明によるデジタル放送受信装置の第２の実施形態における制御部９の一具体例の要部を示すブロックであって、９ａ’は閾値設定部であり、図２に対応する部分には同一符号をつけている。なお、この第２の実施形態も、全体構成は図１に示す構成と同様である。
【００３７】
同図において、閾値設定部９ａ’は、速度検出部１０からの走行速度情報Ｂに基づいて移動体の走行状態を検出し、この走行状態に応じた閾値Ｄを比較部９ｂに供給するが、さらに、後述するように、比較部９ｂから出力される切替制御信号Ｃのレベル反転毎に（即ち、切替部７で弱階層の番組信号ＰWと強階層の番組信号ＰSとの選択切り替え（弱階層番組受信状態と強階層番組受信状態の切り替え）が行なわれる毎に）、閾値Ｄを変更する。
【００３８】
図５は図４における制御部９の切替制御信号Ｃの生成処理を示すタイミング図である。
【００３９】
図５（ａ）は、移動体の走行速度Ｖの変化を示すものであって、速度検出部１０（図１）では、この走行速度Ｖの変化に応じた値が変化する走行速度情報Ｂが得られる。ここで、この移動体の状態は、図３（ａ）の場合と同様であって、走行速度Ｖに応じて、走行速度Ｖ＝０の停止状態とＶ＝Ｖ1までのＶ＞０の低速走行状態と走行速度Ｖ＞Ｖ1の高速走行状態とに分けられ、停止状態にある時刻ｔ1までの時間区間を停止区間Ｔ1、低速走行状態にある時刻ｔ1から時刻ｔ2までの時間区間を低速走行区間Ｔ2、高速走行状態にある時刻ｔ2以降の時間区間を高速走行区間Ｔ3としている。
【００４０】
図５（ｂ）は、伝送路復調部３（図１）で得られる信号品質値Ａと、閾値設定部９ａ’（図４）で得られる図５（ａ）に示す移動体の走行状態に応じた信号品質値Ａの閾値Ｄとを示すものである。
【００４１】
ここで、閾値Ｄとしては、移動体の走行状態に応じて異なる設定範囲ΔＤの上限閾値Ｄmax，下限閾値Ｄminが用いられ、閾値設定部９ａ’（図４）は、速度検出部１０（図１）からの走行速度情報Ｂによって移動体の走行状態（停止状態，低速走行状態，高速走行状態）を検出し、その走行状態に応じて、そのときに設定される閾値Ｄの範囲ΔＤの上限閾値Ｄmax，下限閾値Ｄminのいずれか一方を比較部９ｂ（図４）に閾値Ｄとして供給する。この比較部９ｂでは、かかる閾値Ｄを用いて、上記のように、切替部７（図１）の弱階層の番組信号ＰWと強階層の番組信号ＰSとの受信切替判定（番組の弱階層受信と番組の強階層受信との切り替え判定）が行なわれるが、番組の弱階層受信から番組の強階層受信への切替の判定には、下限閾値Ｄminが用いられ、番組の強階層受信から番組の弱階層受信への受信切替の判定には、上限閾値Ｄmaxが用いられる。なお、閾値設定部９ａ’には、移動体の走行状態に応じたかかる下限閾値Ｄmin，上限閾値Ｄmaxが格納されており、これらが比較部９ｂからの切替制御信号Ｃのレベル反転タイミングで読み出されて比較部９ｂに供給される。
【００４２】
図５（ｃ）は切替制御信号Ｃ（切替部７（図１）の切替状態）を示すものである。
【００４３】
次に、図５（ａ）〜（ｃ）を用いて、この第２の実施形態の動作を説明する。
【００４４】
移動体が停止状態にある停止区間Ｔ1では、受信電波強度の増減の変動が少なく、安定した受信状況が得られるものであるから、受信電波強度が比較的低くとも、弱階層の番組信号ＰWが受信できて高画質の映像が表示されるように、閾値Ｄの範囲ΔＤは最も低い範囲ΔＤ1に設定される。そして、この設定範囲ΔＤ1の最大値を上限閾値Ｄ1max、最小値を下限閾値Ｄ1minとすると、閾値設定部９ａ’は、この停止区間Ｔ1では、まず、この設定範囲ΔＤ1の下限閾値Ｄ1minを閾値Ｄの初期値として比較部９ｂに設定する。比較部９ｂでは、信号品質値Ａがこの下限閾値Ｄ1minと比較され、この比較結果に応じた切替制御信号Ｃが生成される。ここでは、受信電波強度にほとんど増減の変動がなく、安定してかつ高く、図５（ｂ）に示すように、信号品質値Ａが安定してそのときの下限閾値Ｄ1minよりも高いものとすると、比較部９ｂから得られる切替制御信号Ｃは、図５（ｃ）に示すように、切替部７（図１）が弱階層の番組信号ＰWを選択するための“Ｈ”レベルの信号となる。従って、弱階層の番組信号ＰWを受信する弱階層番組受信状態が設定される。
【００４５】
移動体が走行を開始して低速走行状態の低速走行区間Ｔ2になると（時刻ｔ1）、移動体が停止状態にあるときよりも、受信電波強度の増減の変動が顕著に現われる可能性があり、弱階層の番組信号ＰWの品質低下がより顕著に生ずるものであるから、移動体が停止状態にあるときよりも、さらに、受信電波強度が高いときに弱階層の番組信号ＰWが受信できるようにするために、閾値Ｄの設定範囲ΔＤを停止区間Ｔ1のΔＤ1よりも高いΔＤ2とする。そして、停止区間Ｔ1でそのときの下限閾値Ｄ1minが用いられていたので、この停止区間Ｔ1に続く低速走行区間Ｔ2でも、閾値設定部９ａ’は、このときの閾値Ｄの下限閾値Ｄ2min，上限閾値Ｄ2maxの設定範囲ΔＤ2での下限閾値Ｄ2minを、下限閾値Ｄ1minに代えて、比較部９ｂに送る。比較部９ｂでは、信号品質値Ａがこの下限閾値Ｄ2minと比較され、この比較結果に応じた切替制御信号Ｃが生成される。ここでは、停止区間Ｔ1から低速走行区間Ｔ2に切り替わったときには（時刻ｔ1）、受信電波強度にほとんど増減の変動がなく、安定してかつ高く、図４（ｂ）に示すように、信号品質値Ａが安定してそのときの下限閾値Ｄ2minよりも高いものとすると、比較部９ｂから得られる切替制御信号Ｃは、図５（ｃ）に示すように、切替部７（図１）が弱階層の番組信号ＰWを選択するための“Ｈ”レベルの信号となる。従って、弱階層の番組信号ＰWの受信する弱階層番組受信状態が継続する。
【００４６】
移動体の走行速度Ｖが走行速度ＶXを越えてさらに高くなり、受信電波強度の増減の変動がさらに頻繁となるが、これとともに、受信電波強度が低下して信号品質値Ａがそのときの閾値Ｄの設定範囲ΔＤ2の下限閾値Ｄ2minよりも小さくなると（時刻ｔx）、比較部９ｂから得られる切替制御信号Ｃは、図５（ｃ）に示すように、強階層の番組信号ＰSを選択するための“Ｌ”レベルの信号となる。これにより、切替部７（図１）は、弱階層の番組信号ＰWから強階層の番組信号ＰSへと選択を切り替え、強階層の番組信号ＰSを受信する強階層番組受信状態となる。
【００４７】
そして、このように、切替制御信号Ｃのレベルが“Ｈ”から“Ｌ”に反転すると、閾値設定部９ａ’はこのレベル反転を検出し、比較部９ｂに供給する閾値Ｄをその設定範囲ΔＤ2の上限閾値Ｄ2maxに変更する。これにより、比較部９ｂは信号品質値Ａをこの上限閾値Ｄ2maxと比較する。
【００４８】
移動体の走行速度Ｖがさらに増し、速度Ｖ1以上の高速走行状態の高速走行区間Ｔ3になると（時刻ｔ2）、閾値設定部９ａ’は、閾値の設定範囲を設定範囲ΔＤ2よりも高い下限閾値Ｄ3min，上限閾値Ｄ3maxの設定範囲ΔＤ3とし、上記の上限閾値Ｄ2maxの代わりに、この設定範囲ΔＤ3の上限閾値Ｄ3maxを閾値Ｄとして比較部９ｂに供給する。比較部９ｂは、信号品質値Ａを上限閾値Ｄ3maxと比較し、信号品質値Ａが上限閾値Ｄ3maxを越えないと、“Ｌ”レベルの切替制御信号Ｃを継続して出力する。従って、切替部７（図１）は、強階層の番組信号ＰSを選択し続け、強階層の番組信号ＰSを受信する強階層番組受信状態が継続する。
【００４９】
かかる高速走行区間Ｔ3において、例えば、周囲環境が良好となって、受信電波強度がいくらか安定化し、かつ受信電波強度が高くなって、信号品質値Ａがそのときの閾値Ｄである上限閾値Ｄ3maxを越えるような受信状態となったとすると（時刻ｔ3）、比較部９ｂから得られる切替制御信号Ｃは、図５（ｃ）に示すように、弱階層の番組信号ＰWを選択するための“Ｈ”レベルの信号となる。従って、強階層番組受信状態から弱階層番組受信状態に切り替わる。
【００５０】
これとともに、切替制御信号Ｃのレベルが“Ｌ”から“Ｈ”に反転すると、閾値設定部９ａ’はこのレベル反転を検出し、比較部９ｂに供給する閾値Ｄをその設定範囲ΔＤ3の下限閾値Ｄ3minに変更する。これにより、比較部９ｂは信号品質値Ａをこの下限閾値Ｄ3minと比較する。
【００５１】
以下同様にして、移動体の走行状態に応じて、比較部９ｂで用いられる閾値Ｄを規定する設定範囲ΔＤが変更され、さらに、比較部９ｂからの切替制御信号Ｃがレベル反転する毎に、そのときの設定範囲ΔＤの比較部９ｂで閾値Ｄとして用いられる下限閾値Ｄminと上限閾値Ｄmaxとの切り替えが行なわれる。この場合、切替制御信号Ｃが“Ｈ”から“Ｌ”に切り替わったときには（即ち、強階層番組受信状態では）、そのときの設定範囲ΔＤの上限閾値Ｄmaxが比較部９ｂで受信切替判定の閾値Ｄとして用いられ、切替制御信号Ｃが“Ｌ”から“Ｈ”に切り替わったときには（即ち、弱階層番組受信状態では）、そのときの設定範囲ΔＤの下限閾値Ｄminが比較部９ｂで受信切替判定の閾値Ｄとして用いられる。
【００５２】
上記の閾値Ｄ1，Ｄ2，Ｄ3の下限閾値Ｄminと上限閾値Ｄmaxとは夫々、閾値設定部９ａ’に走行区間Ｔ1，Ｔ2，Ｔ3に対応して、例えば、テーブルなどにより、格納されており、走行速度情報Ｂによって走行区間が検出されると、これに対応する閾値の下限閾値Ｄminまたは上限閾値Ｄmaxが読み出されて比較部９ｂに供給され、比較部９ｂからの切替制御信号Ｃのレベル反転により、同じ閾値Ｄの設定範囲ΔＤの下限閾値Ｄminと上限閾値Ｄmaxと読出しの切替えが行なわれる。
【００５３】
なお、以上の説明では、移動体の停止区間Ｔ1で比較部９ｂが設定範囲ΔＤ1の下限閾値Ｄ1minを閾値Ｄとして動作するものであったが、閾値設定部９ａ’によって比較部９ｂに設定範囲ΔＤ1の下限閾値Ｄ1minが初期の閾値Ｄとして設定されても、この停止区間Ｔ1で受信電波強度が低い受信状況にあって、信号品質値Ａがこの下限閾値Ｄ1minよりも小さい場合には、比較部９ｂから出力される切替制御信号Ｃは“Ｌ”レベルの信号となり、これを閾値設定部９ａ’が検出して、比較部９ｂへの閾値Ｄをこの設定範囲ΔＤ1の上限閾値Ｄ1maxに変更し、強階層番組受信状態とする。これ以降の動作は、上記の説明の通りである。
【００５４】
また、ここでは、移動体の走行状態を停止状態（停止区間Ｔ1），低速走行状態（低速走行区間Ｔ2）及び高速走行状態（高速走行区間Ｔ3）の３通りの走行状態を設定し、夫々毎に信号品質値Ａの閾値Ｄを設ける場合について説明したが、これのみに限るものではなく、設定する走行状態を２つの状態としてもよいし、また、４以上の状態としてもよい。
【００５５】
さらに、閾値Ｄの設定範囲ΔＤの大きさを、移動体の走行状態（走行速度Ｖ＝０の状態も含む）に応じて異ならせるようにしてもよい。例えば、停止区間Ｔ1では、下限閾値Ｄ1minを弱階層を受信するために必要最小の信号品質値を、変調方式などによって異なるが、例えば、２０ｄＢとし、上限閾値Ｄ1maxを２２ｄＢとする。また、低速走行区間Ｔ2では、下限閾値Ｄ2minを２２ｄＢとし、上限閾値Ｄ2maxを２５ｄＢとする。さらに、高速走行区間Ｔ3では、下限閾値Ｄ3minを２４ｄＢとし、上限閾値Ｄ3maxを２８ｄＢとする（なお、かかる数値は一例として示すものであって、本発明がかかる数値例によって限定されるものではない）。
【００５６】
以上のように、この第２の実施形態では、移動体の走行状態に毎に２種類の閾値を持たせることにより、受信状況が激しく変動する場合での、番組の弱階層受信から番組の強階層受信への切り替えと、番組の強階層受信から番組の弱階層受信への切り替えとが頻繁に行なわれる現象を低減することが可能となる。
【００５７】
図６は本発明によるデジタル放送受信装置の第３の実施形態における制御部９の一具体例を示すブロック図であって、９ｃは平均化時間設定部、９ｄは信号品質値制御部であり、図２に対応する部分には同一符号をつけて重複する説明を省略する。なお、この第３の実施形態も、その全体構成は図１に示す第１の実施形態と同様である。
【００５８】
同図において、伝送路復調部３（図１）からの信号品質値Ａは信号品質値制御部９ｄに供給され、平均化時間設定部９ｃで設定される平均化時間Ｔａ毎に平均化される。平均化された信号品質値Ａは比較部９ｂに供給され、図２に示す制御部９と同様、閾値設定部９ａからの閾値Ｄと比較されて、その比較結果に応じた切替制御信号Ｃが生成される。
【００５９】
いま、平均化時間Ｔａ内にｎ個の供給される信号品質値Ａが供給されるものとすると、これらｎ個の信号品質値Ａ１，Ａ２，……，Ａｎが累積加算され、その累積加算値を個数ｎで除算することにより、平均化時間Ｔａで平均化された信号品質値Ａが得られる。かかる平均化が平均化時間設定部９ｃで設定される平均化時間Ｔａ毎に行なわれる。
【００６０】
平均化時間設定部９ｃは、速度検出部１０（図１）からの走行速度情報Ｂを基に移動体の走行状態（上記の停止状態，低速走行状態，高速走行状態）を検出し、かかる走行状態に応じた平均化時間Ｔａを信号品質値制御部９ｄに設定する。
【００６１】
図７は図６に示すこの制御部９の信号品質値Ａの平均化動作を示すタイミングチャートである。
【００６２】
図７（ａ）は移動体の走行速度Ｖの変化を示すものであって、この変化は図３（ａ），図５（ａ）と同様であり、走行速度に応じて停止区間Ｔ1，低速走行区間Ｔ2，高速走行区間Ｔ3からなるものとしている。
【００６３】
図７（ｂ）は平均化時間設定部９ｃによって信号品質値制御部９ｄに設定される平均化時間Ｔａを示すものである。平均化時間設定部９ｃには、停止区間Ｔ1，低速走行間Ｔ2，高速走行区間Ｔ3区間毎に平均化時間Ｔａが設定されており、これら走行区間Ｔ1，Ｔ2，Ｔ3に設定されている夫々の平均化時間をＴａ1，Ｔａ2，Ｔａ3とすると、停止区間Ｔ1では、受信電波の変動が最も少ないから、平均化時間Ｔａ1を最も短くし、高速走行区間Ｔ3では、受信電波の変動が最も激しいから、平均化時間Ｔａ3を最も長くし、低速走行区間Ｔ2の平均化時間Ｔａ2を平均化時間Ｔａ1，Ｔａ3の中間の長さとする。
【００６４】
なお、かかる平均化時間Ｔａ1，Ｔａ2，Ｔａ3は、平均化時間設定部９ｃで走行区間Ｔ1，Ｔ2，Ｔ3に対応付けて、例えば、テーブルなどにより、記憶されている。
【００６５】
平均化時間設定部９ｃは、走行速度情報Ｂを基にその時々の移動体の走行状態を検出し、停止区間Ｔ1のときには、最短の平均化時間Ｔａ1を信号品質値制御部９ｄに設定する。信号品質値制御部９ｄは供給される信号品質値Ａをこの平均化時間Ｔａ1毎に平均化し、停止区間Ｔ1に図７（ｃ）に示すように得られる平均化された信号品質値Ａを比較部９ｂに供給する。低速走行区間Ｔ2では、平均化時間設定部９ｃは、該当する平均化時間Ｔａ2を信号品質値制御部９ｄに設定する。信号品質値制御部９ｄは供給される信号品質値Ａをこの平均化時間Ｔａ2毎に平均化し、低速走行区間Ｔ2に図７（ｃ）に示すように得られる平均化された信号品質値Ａを比較部９ｂに供給する。高速走行区間Ｔ3では、平均化時間設定部９ｃは、該当する最長の平均化時間Ｔａ3を信号品質値制御部９ｄに設定する。信号品質値制御部９ｄは供給される信号品質値Ａをこの平均化時間Ｔａ3毎に平均化し、高速走行区間Ｔ3に図７（ｃ）に示すように得られる平均化された信号品質値Ａを比較部９ｂに供給する。
【００６６】
比較部９ｂでは、信号品質値制御部９ｄからの平均化された信号品質値Ａと閾値設定部９ａからの該当する走行区間に対する閾値Ｄと比較し、その比較結果に応じてレベルが“Ｈ”または“Ｌ”となる切替部７（図１）の切替制御信号Ｃを生成出力する。
【００６７】
このようにして、この第３の実施形態では、受信電波の変動が小さい停止区間Ｔ1では、一定の受信状況を保持する期間が長いため、平均化時間Ｔａは短く設定しておき、もし受信状況が上昇または低下した場合には即座に受信階層の切替えを行なうことができる。また、受信電波の変動が大きい走行中の場合には、平均化時間Ｔａを長く設定することにより、受信状況が激しく増減変動することによる受信階層の切り替わり、即ち、弱階層受信から強階層受信へ、あるいは強階層受信から弱階層受信への切り替わりが頻繁に生ずるといった現象を低減することが可能である。
【００６８】
なお、信号品質値Ａの平均化処理としては、平均化時間Ｔａ内でのｎ個の信号品質値を加算する際、時間的に早い信号品質値ほど小さい係数を掛け合わせ、時間的に後になる信号品質値ほど大きい係数を掛け合わせてるようにし、夫々の信号品質値に重み付けをして加算することにより、平均化するようにしてもよい。
【００６９】
また、図６に示す制御部９の閾値設定部９ａは、図２に示す閾値設定部９ａのように、各走行区間Ｔ1，Ｔ2，Ｔ3毎に異なる１つずつの予め決められた閾値Ｄ1，Ｄ2，Ｄ3を比較部９ｂに設定するものとしたが、図４に示す制御部９の閾値設定部９ａのように、走行区間Ｔ1，Ｔ2，Ｔ3毎に異なる設定範囲での上限閾値Ｄmaxあるいは下限閾値Ｄminを比較部９ｂに設定するようにしてもよい。
【００７０】
さらに、上記第１〜第３の実施形態において、切替部７が弱階層の番組信号ＰWを選択しているときには、強階層デコード部６のデコード処理を停止し、切替部７が強階層の番組信号ＰSを選択しているときには、弱階層デコード部５のデコード処理を停止するようにしてもよい。
【００７１】
図８は本発明によるデジタル放送受信装置の第４の実施形態を示すブロック図であって、７ａは映像切替部、７ｂは音声切替部、８ａは映像表示部、８ｂは音声表示部であり、図１に対応する部分には同一符号をつけて重複する説明を省略する。
【００７２】
先に図１で示した第１〜第３の実施形態では、弱階層デコーダ５，強階層デコーダ６から出力される信号はアナログの番組信号であって、番組の映像信号と音声信号とからなるものとし、かかる番組信号が表示装置８に供給されて映像と音声との表示（再生）が行なわれるものとしたが、この第４の実施形態では、番組の映像信号と音声信号とが別々に切替部で選択され、映像表示部と音声出力部とに供給されるようにしたものである。
【００７３】
即ち、図８において、弱階層デコード部５は、多重分離部４からの弱階層のデジタル番組信号をアナログの弱階層の番組信号にデコードするとともに、この番組信号から弱階層の映像信号ＶWと音声信号ＡWとに分離し、この弱階層の映像信号ＶWを映像切替部７ａに、弱階層の音声信号ＡWを音声切替部７ｂに供給する。また、強階層デコード部６は、多重分離部４からの強階層のデジタル番組信号をアナログの強階層の番組信号にデコードするとともに、この番組信号から強階層の映像信号ＶSと音声信号ＡSとに分離し、この強階層の映像信号ＶSを映像切替部７ａに、強階層の音声信号ＡSを音声切替部７ｂに供給する。
【００７４】
映像切替部７ａは、制御部９からの映像信号切替制御信号ＣVにより、切り替え制御され、音声切替部７ｂは、制御部９からの音声信号切替制御信号ＣAにより、切り替え制御される。かかる切替制御信号ＣV，ＣAにより、映像切替部７ａが弱階層の映像信号ＶWを選択するときには、音声切替部７ｂが弱階層の音声信号ＡWを選択して、夫々映像表示部８ａと音声出力部８ｂとに供給し（即ち、弱階層番組受信状態）、また、映像切替部７ａが強階層の映像信号ＶSを選択するときには、音声切替部７ｂが強階層の音声信号ＡSを選択して、夫々映像表示部８ａと音声出力部８ｂとに供給する（即ち、強階層番組受信状態）。
【００７５】
図９は図８における制御部９の一具体例を示すブロック図であって、９ａ”は閾値設定部、９ｂ1，９ｂ2は比較部である。
【００７６】
同図において、閾値設定部９ａ”には、先の実施形態と同様の走行区間Ｔ1，Ｔ2，Ｔ3毎の弱階層の映像信号ＶWの受信と強階層の映像信号ＶSとの受信との切り替えタイミングを判定するための閾値（以下、映像信号用閾値という）ＤVと、弱階層の音声信号ＡWの受信と強階層の音声信号ＡSの受信と切り替えタイミングを判定するための閾値（以下、音声信号用閾値という）ＤAとが記憶されている。  閾値設定部９ａ”は、速度検出部１０からの走行速度情報Ｂを基に、Ｔ1，Ｔ2，Ｔ3の走行区間のいずれかを検出し、検出した走行区間に該当する映像信号用閾値ＤVを比較部９ｂ1に、同じく該当する音声信号用閾値ＤAを比較部９ｂ2に夫々設定する。比較部９ｂ1では、伝送路復調部３（図８）から供給される信号品質値Ａがこのとき設定されている映像信号用閾値ＤVと比較され、その比較結果に応じた映像信号切替制御信号ＣVが生成されて映像切替部７ａ（図８）に供給される。また、比較部９ｂ2では、伝送路復調部３から供給される信号品質値Ａがこのとき設定されている音声信号用閾値ＤAと比較され、その比較結果に応じた音声信号切替制御信号ＣAが生成されて音声切替部７ｂ（図８）に供給される。
【００７７】
図１０は図８における制御部９の切替制御信号ＣV，ＣAの生成処理を示すタイミングチャートである。
【００７８】
図１０（ａ）は移動体の走行速度Ｖの変化を示すものであって、この変化は図３（ａ），図５（ａ）と同様であり、走行速度に応じて停止区間Ｔ1，低速走行区間Ｔ2，高速走行区間Ｔ3からなるものとしている。
【００７９】
図１０（ｂ）は、伝送路復調部３（図８）で得られる信号品質値Ａと、閾値設定部９ａ’（図８）で得られる図１０（ａ）に示す移動体の走行区間に応じた信号品質値Ａの閾値ＤV，ＤAとを示すものである。
【００８０】
また、図１０（ｃ）は図１０（ｂ）での比較結果による切替制御信号ＣV，ＣAを示すものである。
【００８１】
以下、図１０（ａ）〜（ｃ）を用いてこの第４の実施形態の動作を説明する。
【００８２】
移動体が停止状態にある停止区間Ｔ1では、閾値設定部９ａ”が該当する映像信号用閾値ＤV1を比較部９ｂ1に設定し、該当する音声信号用閾値ＤA1を比較部９ｂ2に設定する。この映像信号用閾値ＤV1は映像信号用閾値ＤVのうちで最小値のものであり、同様に、この音声信号用閾値ＤA1は音声信号用閾値ＤAのうちで最小値のものである。停止区間Ｔ1では、受信電波強度の増減の変動が少なく、安定した受信状況が得られるものであるから、先の実施形態と同様、映像信号用閾値ＤV，音声信号用閾値ＤAともに、最小値の映像信号用閾値ＤV1，音声信号用閾値ＤA1を用いる。
【００８３】
移動体が低速走行状態にある低速走行区間Ｔ2では、閾値設定部９ａ”が該当する映像信号用閾値ＤV2を比較部９ｂ1に設定し、該当する音声信号用閾値ＤA2を比較部９ｂ2に設定する。この映像信号用閾値ＤV2は、停止区間Ｔ1に比べ、受信電波強度の増減の変動が顕著に現われる可能性が高く、弱階層の番組信号の品質低下が顕著に生ずる可能性があるものであるから、映像信号用閾値ＤV1よりも大きな値のものであり、同様に、この音声信号用閾値ＤA2も、停止区間Ｔ1での音声信号用閾値ＤA1よりも大きな値のものである。
【００８４】
移動体が高速走行状態にある高速走行区間Ｔ3では、閾値設定部９ａ”が該当する映像信号用閾値ＤV3を比較部９ｂ1に設定し、該当する音声信号用閾値ＤA3を比較部９ｂ2に設定する。この映像信号用閾値ＤV3は、高速走行区間Ｔ3で受信電波強度の増減の変動が最も顕著に現われる可能性があり、弱階層の番組信号の品質低下が最も顕著に生ずる可能性があるものであるから、映像信号用閾値ＤVのうちで最大の値のものであり、同様に、この音声信号用閾値ＤA3も、音声信号用閾値ＤAのうちで最大の値のものである。
【００８５】
なお、かかる映像信号用閾値ＤV1〜ＤV3や音声信号用閾値ＤA1〜ＤA3は、閾値設定部９ａ”において、走行区間Ｔ1，Ｔ2，Ｔ3と対応付けて、例えば、テーブルとして記憶されている。
【００８６】
いま、移動体が停止した停止区間Ｔ1では、閾値設定部９ａ”から比較部９ｂ1に最小値の映像信号用閾値ＤV1が設定され、比較部９ｂ2に最小値の音声信号用閾値ＤA1が設定される。この停止区間Ｔ1で受信電波強度にほとんど増減の変動がなく、安定してかつ高く、図１０（ｂ）に示すように、信号品質値Ａが安定してそのときの映像信号用閾値ＤV1や音声信号用閾値ＤA1よりも高いものとすると、図１０（ｃ）に示すように、比較部９ｂ1から出力される映像信号切替制御信号ＣVは“Ｈ”の信号であり、比較部９ｂ2から出力される音声信号切替制御信号ＣAも“Ｈ”の信号である。従って、映像切替部７ａ（図８）が弱階層の映像信号ＶWを選択し、音声切替部７ｂ（図８）が弱階層の音声信号ＶAを選択する弱階層番組受信状態となる。
【００８７】
なお、勿論、信号品質値Ａが映像信号用閾値ＤV1や音声信号用閾値ＤA1よりも低い場合には、比較部９ｂ1から出力される映像信号切替制御信号ＣVも比較部９ｂ2から出力される音声信号切替制御信号ＣAも“Ｌ”の信号となり、強階層番組受信状態となるし、また、図示するように、映像信号用閾値ＤV1＜音声信号用閾値ＤA1であって、信号品質値Ａが映像信号用閾値ＤV1も高く、音声信号用閾値ＤA1よりも低い場合には、映像信号切替制御信号ＣVが“Ｈ”、音声信号切替制御信号ＣAが“Ｌ”となるから、映像切替部７ａでは、弱階層の映像信号ＶWが選択され、音声切替部７ｂでは、強階層の音声信号ＡSが選択される。このような信号品質値Ａと映像信号用閾値ＤV，音声信号用閾値ＤAとの関係による映像切替部７ａ，音声切替部７ｂでの選択信号は、以下の走行区間Ｔ2，Ｔ3についても同様である。
【００８８】
移動体が移動を開始して低速走行区間Ｔ2となると（時刻ｔ1）、閾値設定部９ａ”から比較部９ｂ1に映像信号用閾値ＤV2（＞映像信号用閾値ＤV1）が設定され、比較部９ｂ2に音声信号用閾値ＤA2（＞音声信号用閾値ＤA1）が設定される。従って、この場合も、図１０（ｂ）に示すように、信号品質値Ａが映像信号用閾値ＤV2や音声信号用閾値ＤA2よりも高いものとすると、図１０（ｃ）に示すように、比較部９ｂ1から出力される映像信号切替制御信号ＣVも、また、比較部９ｂ2から出力される音声信号切替制御信号ＣAも“Ｈ”の信号である。従って、映像切替部７ａ（図８）が弱階層の映像信号ＶWを選択し、音声切替部７ｂ（図８）が弱階層の音声信号ＶWを選択する弱階層番組受信状態となっている。
【００８９】
ここで、この低速走行区間Ｔ2で受信電波強度が低下して信号品質値Ａが低下し、映像信号用閾値ＤV2や音声信号用閾値ＤA2よりも低くなると、図１０（ｃ）に示すように、比較部９ｂ1から出力される映像信号切替制御信号ＣVも、また、比較部９ｂ2から出力される音声信号切替制御信号ＣAも“Ｌ”の信号となり、従って、映像切替部７ａ（図８）が強階層の映像信号ＶSを選択し、音声切替部７ｂ（図８）が強階層の音声信号ＡSを選択する強階層番組受信状態となっている。この場合、図示するように、映像信号用閾値ＤV2＜音声信号用閾値ＤA2とすると、まず、音声信号切替制御信号ＣAが“Ｌ”となって音声切替部７ｂでの選択が弱階層の音声信号ＡWから強階層の音声信号ＡSへと切り替わり、次いで、映像信号切替制御信号ＣVが“Ｌ”となって映像切替部７ａでの選択が弱階層の映像信号ＶWから強階層の映像信号ＶSへと切り替わる。
【００９０】
かかる階層番組の受信状態で、移動体の走行速度Ｖがさらに増し、高速走行区間Ｔ3となると（時刻ｔ2）、閾値設定部９ａ”から比較部９ｂ1に最大値の映像信号用閾値ＤV3が設定され、比較部９ｂ2に最大値の音声信号用閾値ＤA3が設定される。このときも、受信電波強度が低下した状態が続いて信号品質値Ａが映像信号用閾値ＤV3や音声信号用閾値ＤA3よりも低くなるものとすると、図１０（ｃ）に示すように、上記の階層受信状態が継続することになる。
【００９１】
その後、受信電波強度がいくらか安定化し、かつ受信電波強度が高くなって、信号品質値Ａが映像信号用閾値ＤV3や音声信号用閾値ＤA3よりも高くなったものとすると、図１０（ｃ）に示すように、比較部９ｂ1から出力される映像信号切替制御信号ＣVも、また、比較部９ｂ2から出力される音声信号切替制御信号ＣAも“Ｈ”の信号となり、従って、映像切替部７ａ（図８）が弱階層の映像信号ＶWを選択し、音声切替部７ｂ（図８）が弱階層の音声信号ＡWを選択する弱階層番組受信状態に切り替わる。この場合、図示するように、映像信号用閾値ＤV3＜音声信号用閾値ＤA3とすると、まず、映像信号切替制御信号ＣVが“Ｈ”に切り替わって映像切替部７ａでの選択が強階層の映像信号ＶSから弱階層の映像信号ＶWへと切り替わり、次いで、音声信号切替制御信号ＣAが“Ｈ”に切り替わって音声切替部７ｂでの選択が強階層の音声信号ＡSから弱階層の音声信号ＡWへと切り替わる。
【００９２】
このように、番組信号の映像信号と音声信号毎に信号品質値Ａに対する閾値（映像信号用閾値ＤV，音声信号用閾値ＤA）を設定することにより、受信階層の切替えを映像信号と音声信号とで独立に行なうことができる。従って、例えば、映像信号に比べて音声信号をより円滑かつ確実に受信したい場合には、音声信号用閾値ＤAを映像信号用閾値ＤVよりも、例えば、３ｄＢ大きい値に設定し、逆に、音声信号に比べて映像信号をより安定して受信したい場合には、映像信号用閾値ＤVを音声信号用閾値ＤAよりも、例えば、３ｄＢ大きい値に設定すればよい。但し、これらの数値は、本発明を限定するものではない。
【００９３】
なお、この第４の実施形態においても、制御部９は、映像切替部７ａが弱階層の映像信号ＶWを選択し、音声切替部７ｂが弱階層音声信号ＡWを選択しているときには、強階層デコード部６の復号処理を停止させ、逆に、映像切替部７ａが強階層の映像信号ＶSを選択し、音声切替部７ｂが強階層の音声信号ＡSを選択しているときには、弱階層デコード部５の復号処理を停止させるようにしてもよい。
【００９４】
また、この第４の実施形態においても、図４，図５に示す第２の実施形態のように、映像信号，音声信号の閾値として、上限閾値と下限閾値とを用いるようにしてもよいし、図６及び図７に示す第３の実施形態のように、信号品質値Ａを平均化するようにしてもよい。
【００９５】
図１１は本発明によるデジタル放送受信装置の第５の実施形態における制御部９の一具体例を示すブロック図であって、１１は受信モード選択部であり、前出図面に対応する部分には同一符号をつけて重複する説明を省略する。
【００９６】
同図において、この第５の実施形態は、図１に示す構成に受信モード選択部１１が付加されたものであり、受信モード選択部１１は、図示しない操作部でのユーザの操作により、弱階層優先受信モード，強階層優先受信モード及び階層適応受信モードを選択することができるようにしたものであり、選択されたかかる受信モードの情報（受信モード情報）が閾値設定部９ａに供給される。閾値設定部９ａでは、供給された受信モード情報に応じた閾値Ｄが選択され、比較部９ｂに供給されて設定される。比較部９ｂでは、この設定された閾値Ｄと供給される信号品質値Ａが比較され、その比較結果に応じた切替制御信号Ｃが生成され、切替部７（図１）に供給される。ここで、上記実施形態と同様、信号品質値Ａが閾値Ｄより大きいときには、“Ｈ”の切替制御信号Ｃが生成され、これにより、切替部７で弱階層の番組信号ＰWが選択される弱階層番組受信状態となる。また、信号品質値Ａが閾値より小さいときには、“Ｌ”の切替制御信号Ｃが生成され、これにより、切替部７で強階層の番組信号ＰSが選択される強階層番組受信状態となる。
【００９７】
閾値設定部９ａは、弱階層優先受信モードが選択された場合には、供給された走行速度情報Ｂを常に移動体が停止状態にあることを示す値に変換し、これにより、閾値Ｄを予め定められた設定範囲の最小値に設定する。また、強階層優先受信モードが選択された場合には、供給された走行速度情報Ｂを常に移動体が高速走行状態であることを示す値に変換し、これにより、閾値Ｄを予め定められた設定範囲の最大値に設定する。さらに、階層適応受信モードが選択されることにより、先の実施形態のように、走行区間毎に閾値が設定され、受信状況、即ち、信号品質値Ａに応じて弱階層と強階層との番組の受信が切り替られる。
【００９８】
以上のように構成することにより、この第５の実施形態では、弱階層優先受信モードを選択することにより、高品質な放送番組を重視した受信が可能となり、強階層優先受信モードを選択することにより、品質は劣るが、放送番組を確実に受信することが可能となり、階層適応受信モードを選択することにより、高品質な放送番組と低品質な放送番組とを受信状況の変動に応じて適応的に切り替えて受信することが可能となる。
【図面の簡単な説明】
【００９９】
【図１】本発明によるデジタル放送受信装置の第１の実施形態を示すブロック図である。
【図２】図１における制御部の一具体例を示すブロック図である。
【図３】図２に示す制御部の動作例を示すタイミング図である。
【図４】本発明によるデジタル放送受信装置の第２の実施形態における制御の一具体例を示すブロック図である。
【図５】図４に示す制御部の動作例を示すタイミング図である。
【図６】本発明によるデジタル放送受信装置の第３の実施形態における制御の一具体例を示すブロック図である。
【図７】図６に示す制御部の信号品質値の平均化動作例を示すタイミング図である。
【図８】本発明によるデジタル放送受信装置の第４の実施形態を示すブロック図である。
【図９】図８における制御部の一具体例を示すブロック図である。
【図１０】図９に示す制御部の動作例を示すタイミング図である。
【図１１】本発明によるデジタル放送受信装置の第５の実施形態における制御部の一具体例を示すブロック図である。
【符号の説明】
【０１００】
１  アンテナ
２  選局部
３  伝送路復調部
４  多重分離部
５  弱階層デコード部
６  強階層デコード部
７  切替部
７ａ  映像切替部
７ｂ  音声切替部
８  表示装置
８ａ  映像表示部
８ｂ  音声表示部
９  制御部
９ａ，９ａ’，９ａ”  閾値設定部
９ｂ，９ｂ1，９ｂ2  比較部
９ｃ  平均化時間設定部
９ｄ  信号品質値制御部
１０  速度検出部
１１  受信モード選択部
【図１】
2007214675.tif 000003
【図２】
2007214675.tif 000004
【図３】
2007214675.tif 000005
【図４】
2007214675.tif 000006
【図５】
2007214675.tif 000007
【図６】
2007214675.tif 000008
【図７】
2007214675.tif 000009
【図８】
2007214675.tif 000010
【図９】
2007214675.tif 000011
【図１０】
2007214675.tif 000012
【図１１】
2007214675.tif 000013